(57)【要約】【課題】照明器具の組立作業の簡素化を可能とする、生産性の高い照明器具を提供する。【解決手段】取付面に取り付けられる照明器具１１であって、取付面側に凹部が形成されるとともに該取付面側の反対側に凸部が形成された器具本体２１と、前記器具本体２１の凸部に配置される光源部４１と、前記光源部４１と電気的に接続され、前記器具本体２１の凹部内に取り付けられる電源部３１とを有する。前記電源部３１は、電源取付部材であるスペーサ４０により、前記器具本体２１と所定の離間距離を有するように取り付けられる。【選択図】図４
2018006148.tif 000002
【特許請求の範囲】
【請求項１】
取付面に取り付けられる照明器具であって、
取付面側に凹部が形成されるとともに該取付面側の反対側に凸部が形成された器具本体と、
前記器具本体の凸部に配置される光源部と、
前記光源部と電気的に接続され、前記器具本体の凹部内に取り付けられる電源部とを有する、照明器具。
【請求項２】
請求項１に記載の照明器具であって、
前記電源部は、電源取付部材により、前記器具本体と所定の離間距離を有するように取り付けられる、照明器具。
【請求項３】
請求項１または請求項２に記載の照明器具であって、
前記電源部を覆う電源カバーを有し、
前記電源カバーは、前記器具本体を前記取付面に取り付ける取付部を有する、照明器具。
【請求項４】
請求項１から請求項３のいずれか一項に記載の照明器具であって、
前記電源部は、電源回路部品と無線信号を受信する受光素子が同一の基板に実装されて形成され、
前記光源部は、複数の発光素子を実装した基板を有し、
前記受光素子は、前記光源部の発光素子と同じ向きになるように実装される、照明器具。
【請求項５】
請求項４に記載の照明器具であって、
前記無線信号のチャンネル切替スイッチを有し、
前記チャンネル切替スイッチは、前記電源回路部品と同一の基板に実装される、照明器具。
【請求項６】
請求項３から請求項５のいずれか一項に記載の照明器具であって、
前記電源カバーは、有底筒状に形成され、前記電源カバーの表面に前記チャンネル切替スイッチを操作するための操作部を有する、照明器具。
【請求項７】
請求項１から請求項６のいずれか一項に記載の照明器具であって、
前記光源部と前記電源部を電気的に接続する接続部を有し、
前記接続部は、平面視において前記電源部と重なる位置に配置される、照明器具。
【請求項８】
請求項１から請求項７のいずれか一項に記載の照明器具であって、
前記光源部は、主光源として複数の発光素子を実装した基板を有し、
少なくとも１つの前記基板に補助光源用発光素子が実装され、
前記補助光源用発光素子は、平面視において前記接続部から離れた位置に配置される、照明器具。
【請求項９】
請求項８に記載の照明器具であって、
前記補助光源用発光素子は、平面視において電源部と重ならない位置に実装されている、照明器具。
【発明の詳細な説明】
【技術分野】
【０００１】
本発明は、照明器具に関する。
【背景技術】
【０００２】
従来、光源としてＬＥＤ素子を備えた照明器具が知られている（例えば、特許文献１参照）。
【０００３】
特許文献１には、天井面に設置される照明器具（シーリングライト）が開示されている。特許文献１に開示される照明器具は、天井側に近い部材から、本体ベース１５、絶縁板１７、点灯回路基板１９、放熱板２１、ＬＥＤ素子実装基板２３、透光性を有するカバー部材２５、セード取付具２９、および、セード１３を備えて構成されている。特許文献１の照明器具では、電源部（点灯回路基板１９）が有底凹状の本体ベース１５の表面側に取り付けられている。この本体ベース１５は、光源部（ＬＥＤ素子実装基板２３）が表面側に配置される放熱板２１の背面側に取り付けられる。
【先行技術文献】
【特許文献】
【０００４】
【特許文献１】特開２０１３−４８０５１号公報
【発明の概要】
【発明が解決しようとする課題】
【０００５】
特許文献１に開示された照明器具においては、電源部を備えた本体ベース１５を、光源部を備えた放熱板２１に取り付ける際に、電源部と光源部とを接続配線により接続する必要がある。光源部側から伸びた接続配線を電源部に接続させようとすると、本体ベース１５と放熱板２１とを近づけて接続作業をせねばならず、組立作業が煩雑化する場合があった。また、電源部が本体ベース１５の凹状部分内に配置されているため、この接続配線が短いと、接続作業が困難となる可能性があった。そのため、照明器具の構成としては、照明器具の組立作業の簡素化を可能とする、生産性の高い照明器具が望まれる。
【０００６】
そこで、本発明は、上記課題に鑑みてなされたものであり、照明器具の組立作業の簡素化を可能とする、生産性の高い照明器具を提供することを目的とする。
【課題を解決するための手段】
【０００７】
本発明の解決しようとする課題は以上の如くであり、次にこの課題を解決するための手段を説明する。
【０００８】
すなわち、本願に開示する照明器具は、
取付面に取り付けられる照明器具であって、
取付面側に凹部が形成されるとともに該取付面側の反対側に凸部が形成された器具本体と、
前記器具本体の凸部に配置される光源部と、
前記光源部と電気的に接続され、前記器具本体の凹部内に取り付けられる電源部とを有するものである。
【０００９】
本願に開示する照明器具において、
前記電源部は、電源取付部材により、前記器具本体と所定の離間距離を有するように取り付けられることが好ましい。
【００１０】
本願に開示する照明器具において、
前記電源部を覆う電源カバーを有し、
前記電源カバーは、前記器具本体を前記取付面に取り付ける取付部を有することが好ましい。
【００１１】
本願に開示する照明器具において、
前記電源部は、電源回路部品と無線信号を受信する受光素子が同一の基板に実装されて形成され、
前記光源部は、複数の発光素子を実装した基板を有し、
前記受光素子は、前記光源部の発光素子と同じ向きになるように実装されることが好ましい。
【００１２】
本願に開示する照明器具において、
前記無線信号のチャンネル切替スイッチを有し、
前記チャンネル切替スイッチは、前記電源回路部品と同一の基板に実装されることが好ましい。
【００１３】
本願に開示する照明器具において、
前記電源カバーは、有底筒状に形成され、前記電源カバーの表面に前記チャンネル切替スイッチを操作するための操作部を有することが好ましい。
【００１４】
本願に開示する照明器具において、
前記光源部と前記電源部を電気的に接続する接続部を有し、
前記接続部は、平面視において前記電源部と重なる位置に配置されることが好ましい。
【００１５】
本願に開示する照明器具において、
前記光源部は、主光源として複数の発光素子を実装した基板を有し、
少なくとも１つの前記基板に補助光源用発光素子が実装され、
前記補助光源用発光素子は、平面視において前記接続部から離れた位置に配置されることが好ましい。
【００１６】
本願に開示する照明器具において、
前記補助光源用発光素子は、平面視において電源部と重ならない位置に実装されていることが好ましい。
【発明の効果】
【００１７】
本発明によれば、照明器具の組立作業の簡素化を可能とする。
【図面の簡単な説明】
【００１８】
【図１】本発明の一実施形態に係る照明器具を斜め下方から見た斜視図。
【図２】同じく照明器具を示す側面図。
【図３】器具本体を斜め上方から見た斜視図。
【図４】同じく照明器具（透光性カバーを取り外した状態）の照射面側を示す平面図。
【図５】同じく照明器具を斜め上方から見た分解斜視図。
【図６】同じく照明器具を斜め下方から見た分解斜視図。
【図７】光源部（ＬＥＤ光源モジュール）を示す平面図。
【図８】光源部（ＬＥＤ光源モジュール）を示す平面図。
【図９】電源カバーを示す斜視図。
【図１０】保護カバーを示す斜視図。
【図１１】別実施形態に係る器具本体の斜め下方から見た斜視図。
【発明を実施するための形態】
【００１９】
本発明の実施形態に係る照明器具１１について、図１から図１０を用いて説明する。本実施形態に係る照明器具１１は、複数のＬＥＤ素子４２を光源とする照明器具である。図１、図２に示すように、照明器具１１は、天井等の取付面（図示せず）に直付けされるシーリングライトである。以下の説明では、照明器具１１の光を照射する側を照明器具１１の照射面側とし、照明器具１１における天井等の取付面に対向する側を照明器具１１の取付面側（取付状態では天井側）として説明する。また、照明器具１１の上下方向は、照明器具１１が天井等の取付面に設置された状態における上下方向（図２、図５及び図６における上下方向）として説明する。上下方向に直交する方向を径方向として説明する。また、本実施形態の説明において、下方から照明器具１１等を視た状態を平面視とする。上下方向に対して直交方向から照明器具１１等を視た状態を側面視とする。
【００２０】
照明器具１１は、主に器具本体２１、電源部３１、光源部４１、透光性カバー５１、電源カバー６１、取付部７１、受信部８１、及び保護カバー９１を有している。照明器具１１は、平面視における形状が円形である。
【００２１】
器具本体２１は、照明器具１１の本体を構成するものである。器具本体２１は、いわゆるベースやシャーシと呼ばれる部材である。器具本体２１は、扁平な有底略円筒状で平面視における外形輪郭形状が円形である。器具本体２１は、照射面側に光源部４１、保護カバー９１及び透光性カバー５１等を保持するものである。器具本体２１は、取付面側に電源部３１、取付部７１及び電源カバー６１等を保持するものである。
【００２２】
器具本体２１は、取付面側に凹部（後述する収容部２６の取付面側の部分）が形成される。器具本体２１は、取付面側の反対側となる照射面側に凸部（後述する収容部２６の照射面側の部分）が形成されている。器具本体２１は、図３に示すように、開口部２２、内周縁部２３、底板部２４、周壁部２５、収容部２６、及び鍔部２７を有し、単一の部材として一体的に形成されている。器具本体２１では、底板部２４の照射面側が光源部４１を取り付けるための光源取付部２４ａとなり、該光源取付部２４ａを器具本体２１の照射面側の凸部の頂部に有する。器具本体２１は、電源部３１、取付部７１、電源カバー６１、保護カバー９１及び透光性カバー５１等を保持可能な耐久性や強度と、電源部３１及び光源部４１が発する熱を放熱させるための熱伝導性とを考慮し、鉄やアルミニウム、またはそれらの合金等の金属板を用いて形成されている。なお、器具本体２１は、耐久性、強度及び放熱性が高い材料であれば、先述した金属材料に限らず、その他の合金材料や樹脂等の他の材料で形成することができる。
なお、本実施形態においては、内周縁部２３、底板部２４、周壁部２５、収容部２６、及び鍔部２７を器具本体２１として一体的に形成しているが、特に限定するものではなく、上記各構成部材を各々組み付けて構成してもよい。
【００２３】
開口部２２は、取付部７１が露出する円形の開口部分である。開口部２２は、器具本体２１の径方向中心となる位置に設けられている。
【００２４】
内周縁部２３は、開口部２２の周縁部分であり、平面視において円環状である。内周縁部２３は、取付部７１の他端（下端）がネジ部材により取り付けられる部分である。内周縁部２３には、取付部７１の他端をネジ部材により取り付けるためのネジ孔が設けられている。
【００２５】
底板部２４は、内周縁部２３の周囲に円環状に形成された板状部分である。底板部２４は、照射面側に光源部４１が取り付けられる平坦面である光源取付部２４ａを有する。
【００２６】
光源取付部２４ａは、複数（本実施形態では２つ）のＬＥＤ光源モジュール４４が所定位置に取り付け可能な平坦面であり、該平坦面にＬＥＤ光源モジュール４４が当接して取り付けられる。光源取付部２４ａは、光源部４１で発生した熱を伝えて外部に放出する放熱部としても機能させるため、光源部４１が取り付けられる光源取付部２４ａは、光源部４１との接触面積が広くなるよう平坦に形成されている。
【００２７】
底板部２４の内周縁の近傍には、一端に接続端子を有した、電源部３１から延びる配線を挿通するための長孔形状の挿通孔２４ｂが設けられている。
【００２８】
底板部２４の内周縁の近傍には、受信部８１が有する受光素子８２に対応する位置に平面視においてオーバル形状の開口である受光窓２４ｃが設けられている。受光窓２４ｃは、上記挿通孔２４ｂに近接して配置されている。
【００２９】
底板部２４の外周縁の近傍には、保護カバー９１が有する爪部９５を嵌合するための複数（本実施形態では、８つ）の貫通孔２４ｄが設けられている。複数の貫通孔２４ｄは、底板部２４の周方向に略均等配置されている。
【００３０】
周壁部２５は、底板部２４の外周縁から上方に延設される円筒状の部分である。
【００３１】
収容部２６は、内周縁部２３、底板部２４及び周壁部２５により形成される扁平で有底略円筒形状の部分である。収容部２６は、平面視において外形形状が円形である。収容部２６は、取付面側から見ると下方に凹状に形成されており、照射面側から見ると下方に凸状に形成されている。収容部２６は、内部に電源部３１、取付部７１及び電源カバー６１が収容されて取り付けられる部分である。取付部７１は、引掛シーリングアダプタ等の配線部品１１０が取り付けられ、該配線部品１１０を介して照明器具１１を天井等の取付面側に配置された配線器具と電気的に接続される。収容部２６の底面となる底板部２４には、複数（本実施形態では、４つ）のスペーサ４０の一端を挿通して係合し、該スペーサ４０を底板部２４上に立設するための複数の貫通孔２４ｅが設けられている。
【００３２】
鍔部２７は、収容部２６の周囲に形成される。鍔部２７は、周壁部２５の上端の外周縁から径方向外側に突出する円環状の部分である。鍔部２７は、器具本体２１の外周縁部分である。鍔部２７の照射面側には、透光性カバー５１を保持するための複数（本実施形態では、３つ）の保持部２９が設けられている。複数の保持部２９は、鍔部２７に略均等間隔に配置される。また、鍔部２７の取付面側には、複数の緩衝材３０が略均等間隔に配置される。緩衝材３０は、照明器具１１を天井等の取付面に取り付けた状態で、取付面と照明器具１１との間に挟まれて、その弾性力によって照明器具１１のガタツキを防止するためのものである。
【００３３】
電源部３１は、光源部４１と電気的に接続され、器具本体２１の凹部である収容部２６内に取り付けられるものである。電源部３１は、光源部４１が有するＬＥＤ素子４２（図７参照）に給電を行って、ＬＥＤ素子４２を点灯させるための電源回路である。電源部３１は、長方形状に加工されたプリント配線基板である電源基板３３上に複数の電源回路部品等の電子部品が実装された電源回路である。電源部３１は、外部商用電源から供給される交流電流を所定の直流電流に変換し、変換後の電流を基板４３に実装された複数のＬＥＤ素子４２に供給するためのものである。電源基板３３は、電源回路部品等の電子部品の実装面側を下側に向けた状態で配置される。電源基板３３の実装面側（下面側）には、電源回路部品等の電子部品、受光素子８２及びチャンネル切替スイッチ８３が配置されている。すなわち、電源部３１は、電源回路部品等の電子部品とリモコン信号を受信する受光素子８２が同一の基板に実装されて形成されている。また、電源部３１は、電源回路部品等の電子部品とチャンネル切替スイッチ８３が同一の基板に実装されて形成されている。また、電源部３１では、前記電源回路部品等の電子部品と受光素子８２が電源基板３３の一方の表面（下面）に実装されている。詳細は後述するが、電源基板３３には、器具本体２１の受光窓２４ｃに対向する位置に受信部８１の受光素子８２が配置されている。また、電源基板３３の一端部には、チャンネル切替スイッチ８３が配置されている。電源部３１は、器具本体２１の底板部２４に複数（本実施形態では、４つ）の電源取付部材の一例であるスペーサ４０を介して器具本体２１の底板部２４と所定の離間距離を有するように取り付けられている。すなわち、電源部３１の電源基板３３は、底板部２４に対して略平行となるように複数のスペーサ４０により支持されている。これにより、器具本体２１の底板部２４と電源部３１との間に所定の空間が形成され、電気的絶縁距離を確保している。また、当該所定の空間を有することで、通気性が良くなり、放熱性が向上する。電源部３１にはコネクタ（図示せず）が設けられており、照明器具１１を天井等の取付面に取り付ける際、電源部３１のコネクタを配線器具側のコネクタ（図示せず）に接続することで、電源部３１は照明器具用の天井配線器具を介して外部商用電源と電気的に接続される。電源部３１と光源部４１は配線（図示せず）によって電気的に接続されている。
【００３４】
電源基板３３は、平面視長方形状のプリント配線基板により形成されている。これにより、プリント配線基板の基板素材（元基板）をカットして複数のプリント配線基板を作製する際に、弧状などの曲面を有する形状よりも効率的に切り取り可能である。そのため、基板素材の廃棄する部分が少なく、製造コストが抑えられる。
【００３５】
光源部４１は、照明器具１１の照射面側に向けて光を出射する部分である。光源部４１は、器具本体２１の凸部（収容部２６の照射面側の部分）に配置される。光源部４１は、複数のＬＥＤ素子４２を有する。光源部４１は、底板部２４の照射面側の光源取付部２４ａ上に配置される平板状のものである。光源取付部２４ａは、平坦な表面を有する。具体的には、光源部４１は、複数（本実施形態では、２枚）のＬＥＤ光源モジュール４４を有している。各ＬＥＤ光源モジュール４４は、平板状モジュール基板である基板４３（４３ａ、４３ｂ）上に複数の点光源であるＬＥＤ素子４２が実装されて構成されている。複数のＬＥＤ素子４２は、器具本体２１の開口部２２を中心として略同心円状に略等間隔で配置されている。ＬＥＤ光源モジュール４４は、器具本体２１が有する保持部２９よりも照射面側の位置に配置される。これにより、透光性カバー５１に保持部２９の影が出にくい。
【００３６】
ＬＥＤ光源モジュール４４の基板４３ａには、主光源としてＬＥＤ素子４２と、補助光源用発光素子として補助光源用ＬＥＤ素子４２ａが実装されている。補助光源用ＬＥＤ素子４２ａは、図７に示すように、平面視において後述するコネクタ４５から離れた位置に配置されている。具体的には、補助光源用ＬＥＤ素子４２は、基板４３の周方向における中央領域に実装されている。また、図４に示すように、補助光源用ＬＥＤ素子４２ａは、平面視において電源部３１と重ならない位置に実装されている。また、補助光源用ＬＥＤ素子４２ａは、平面視において電源カバー６１と重ならない位置に実装されている。
なお、図４では、補助光源用ＬＥＤ素子４２ａと、電源部３１及び電源カバー６１との位置関係を明確に示すため、主光源であるＬＥＤ素子４２の記載を省略している。
【００３７】
ＬＥＤ光源モジュール４４が有する基板４３は、図７に示すように、平面視において所定幅を有する略半円環状に形成されている。本実施形態では、２枚のＬＥＤ光源モジュール４４が用いられるが、各ＬＥＤ光源モジュール４４の基板４３は、共に略半円環状で類似の形状であるが外形輪郭形状の一部が異なっている。一方のＬＥＤ光源モジュール４４の基板４３ａは、内周側の一方の角部を略Ｌ字状に切り欠いた形状である。すなわち、基板４３ａは、内周側の周方向一端を略Ｌ字状に切り欠いた切欠き部４３ａ１を有する。基板４３ａは、円周方向の両端部において、径方向に沿って形成された、切欠き部４３ａ１に連設される端部４３ａ２と、端部４３ａ３とを有する。他方のＬＥＤ光源モジュール４４の基板４３ｂは、内周側の一方の角部を所定形状に切り欠いた形状である。すなわち、基板４３ａは、内周側の周方向一端を受光窓２４ｃ及び挿通孔２４ｂを露出するように切り欠いた切欠き部４３ｂ１を有する。基板４３ｂは、円周方向の両端部において、径方向に沿って形成された、切欠き部４３ｂ１に連設される端部４３ｂ２と、端部４３ｂ３と、を有する。
【００３８】
基板４３ａ及び基板４３ｂでは、それぞれの内周側の周方向一端を切り欠いた切欠き部４３ａ１及び切欠き部４３ｂ１を設けている。これにより、図８に示すように、基板素材（元基板）をカットして複数の基板を作製する際に、切欠き部４３ａ１及び切欠き部４３ｂ１に基板４３ａ及び基板４３ｂの外周側の周方向の一端を配置することで、効率的に切り取り可能となり、基板素材の廃棄する部分が少なく、製造コストが抑えられる。
【００３９】
各ＬＥＤ光源モジュール４４は、円周方向における、端部４３ａ２と端部４３ｂ３、端部４３ａ３と端部４３ｂ２を対向させて光源取付部２４ａに配置される。また、各ＬＥＤ光源モジュール４４には、端部４３ａ３と端部４３ｂ２とを対向させた配置した際に、電源部３１から延びる配線を電気的に接続するための接続部であるコネクタ４５を有している。コネクタ４５は、各ＬＥＤ光源モジュール４４に配置された複数のＬＥＤ素子４２に給電するためのコネクタである。コネクタ４５は、図４に示すように、平面視において電源部３１と重なる位置に配置されている。また、各ＬＥＤ光源モジュール４４間を電気的もしくは機械的に接続する接続部品により接続して複数のＬＥＤ光源モジュール４４を一つのユニットにすることもできる。略半円環状の２つのＬＥＤ光源モジュール４４を、端部同士を対向させて光源取付部２４ａに配置することにより、略円環状を成した光源部４１を形成することができる。各ＬＥＤ光源モジュール４４は、各々に対応する配線（図示せず）を各コネクタ４５に接続することによって電源部３１と電気的に接続されている。各ＬＥＤ光源モジュール４４は、基板４３の実装面の裏面が各光源取付部２４ａの平坦な表面に当接して固定されるため、各ＬＥＤ光源モジュール４４が発熱した際には、ＬＥＤ光源モジュール４４の熱が器具本体２１や電源カバー６１に伝わる。器具本体２１に伝わった熱は、器具本体２１の温度よりも周辺温度が低い場合、器具本体２１周辺の空気へ伝わる。これにより、器具本体２１に伝わった熱は、器具本体２１の周囲に放熱される。
なお、各ＬＥＤ光源モジュール４４は、熱伝導性シート（図示せず）や放熱グリスを介して光源取付部２４ａに取り付けてもよく、これにより、より高い放熱性を得ることができる。
また、本実施形態では、光源として発光素子の一例である表面実装型のＬＥＤ素子を用いたが、光源の種類はＬＥＤ素子に限定されず、例えばＣＯＢ型発光モジュールや有機ＥＬ素子（ＯＬＥＤ）などであっても実現可能である。
また、基板４３ａ及び基板４３ｂの各外周端部４６には、複数（本実施形態では、２つ）の被係合凸部４３ｃが設けられている。例えば、図１１のように光源取付部２４ａに複数の係合部２４ｆ（本実施形態では、４つ）を有するように器具本体２１を設けた場合には、係合部２４ｆと被係合凸部４３ｃとを係合させることも可能である。基板４３が有する被係合凸部４３ｃを、光源取付部２４ａが有する係合部２４ｆに係合させることで、容易にＬＥＤ光源モジュール４４を光源取付部２４ａにおける所定の位置に配置することができる。
【００４０】
本実施形態のＬＥＤ光源モジュール４４では、略同心円状（基板４３の径方向内側、径方向中間、径方法外側の３列）に複数のＬＥＤ素子４２が配列されている。ＬＥＤ光源モジュール４４においては、基板４３の径方向中間に配列されたＬＥＤ素子４２の数（本実施形態では、１１個）が基板４３の径方向外側に配列されたＬＥＤ素子４２の数（本実施形態では、１０個）よりも多くなるように構成されている。本実施形態のようにＬＥＤ素子４２のような指向性が強い光源を用いた照明器具の場合、照明器具１１の中央部に取付部７１を有するため、透光性カバー５１の中央部に向かって光を出射しにくい傾向がある。後述する透光性カバー５１は、その中央部が下面側に緩やかに膨らむように形成されており、器具本体２１の中央部の寄りに配置されるＬＥＤ素子４２は、径方向外側に配置されるＬＥＤ素子４２よりも透光性カバー５１との距離が長くなる。ＬＥＤ素子４２から出射された光は、その周囲に広がるように拡散しながら透光性カバー５１まで到達する。ＬＥＤ素子４２と透光性カバー５１との距離が短い場合には、ＬＥＤ素子４２から出射する光は、周囲にあまり拡散せずに透光性カバー５１の狭い範囲に到達し、通過する光束が多い。一方、ＬＥＤ素子４２と透光性カバー５１との距離が長くなるほど、ＬＥＤ素子４２から出射された光は周囲に拡散して透光性カバー５１の広い範囲に到達し、通過する光束が少なくなる。そのため、基板４３において略同心円状に配列されたＬＥＤ素子４２の各列が同様の間隔で配置されると、透光性カバー５１の中央部が外周側に比べて暗い印象となる可能性があった。径方向外側のＬＥＤ素子４２よりも径方向内側のＬＥＤ素子４２を隣り合う間隔が短くなるように密に配置することで、中央部も明るく、照明器具１１の発光ムラを抑えることができる。
【００４１】
透光性カバー５１は、器具本体２１の照射面側を覆うように器具本体２１に取り付けられ、光源部４１からの光を反射及び拡散させつつ、外部へ配光する部材である。透光性カバー５１は、セード等を含む。透光性カバー５１は、透光性を有する樹脂素材で形成されている。透光性カバー５１の全体形状は、平面形状が円形であり、下面側に緩やかにドーム状に膨らんでいる。透光性カバー５１は、透光性カバー５１の内部の清掃や器具本体２１の部品交換等のために器具本体２１に対して着脱できる構造となっている。透光性カバー５１の上面側の開口縁部には、透光性カバー５１を器具本体２１が有する鍔部２７に取り付けるための被保持部５２が形成されている。なお、本実施形態における透光性カバー５１の形状は一例であって、ドーム状の他、円筒状や角筒状などにすることもできる。
【００４２】
器具本体２１には、透光性カバー５１の被保持部５２を保持するための取付金具である保持部２９が設けられている。詳細は省略するが、透光性カバー５１を器具本体２１の取り付け位置に配置して透光性カバー５１の周方向の一方に回動させると、透光性カバー５１の被保持部５２が器具本体２１の保持部２９に保持されて透光性カバー５１が器具本体２１に取り付けられる。また、透光性カバー５１が器具本体２１に取り付けられた状態で透光性カバー５１を周方向の他方に回動させると、透光性カバー５１の被保持部５２が器具本体２１の保持部２９から外れて、透光性カバー５１を器具本体２１から取り外すことができる。
【００４３】
電源カバー６１は、電源部３１を覆う金属製の箱状（本実施形態では、有底角筒状）の部材である。電源カバー６１は、一端（下端）が開放された扁平な略直方体形状に形成され、内部に電源部３１が収容されるとともに取付部７１が取り付けられる部材である。電源カバー６１は、器具本体２１の収容部２６（底板部２４）の取付面側に取り付けられる。電源カバー６１は、平面視において器具本体２１の凹部である収容部２６の一部を覆うように取り付けられる。また、電源カバー６１の内部には、アダプタ等の配線部品１１０を取り付けるための取付部７１が取り付けられる。電源カバー６１は、取付孔６２、周縁部６３、天板部６４、側壁部６５、及び電源カバー取付部６６を有している。また、電源カバー６１は、取付部７１等を保持可能な耐久性や強度と、電源部３１及び光源部４１が発する熱を放熱させるための熱伝導性とを考慮し、鉄やアルミニウム、またはそれらの合金等の金属板を用いて形成されている。なお、電源カバー６１は、耐久性、強度及び放熱性が高い材料であれば、先述した金属材料に限らず、その他の合金材料や樹脂等の他の材料で形成することができる。
なお、本実施形態の電源カバー６１は、有底角筒状に形成されているが、有底円筒状等のその他の箱状であっても構わない。
【００４４】
取付孔６２は、照明器具１１を天井に取り付ける際、引掛シーリングアダプタ等の配線部品１１０を挿通する円形の開口部分である。取付孔６２は、天板部６４に設けられた開口部分である。取付孔６２の中心は、電源カバー６１の天板部６４の中心から天板部６４の長手方向の一方側に偏在している。
【００４５】
周縁部６３は、取付孔６２の周縁部分である。周縁部６３は、円環部６３ａと、該円環部６３ａの周囲に形成され、下方に向けて突出する円環状の面である突面部６３ｂを有している。
【００４６】
突面部６３ｂは、取付部７１の一端（上端）がネジ部材により取り付けられる部分である。突面部６３ｂは、取付部７１が有する鍔部７３が取り付けられる部分である。突面部６３ｂには、取付部７１が有する爪部７４が嵌合するための貫通孔６３ｃが設けられている。本実施形態では、複数（本実施形態では、３つ）の貫通孔６３ｃが突面部６３ｂの周方向に沿って等間隔に配置される。突面部６３ｂには、取付部７１をネジ部材により取り付けるためのネジ孔６３ｄが設けられている。取付部７１が有する爪部７４が突面部６３ｂに設けられた貫通孔６３ｃに嵌合することで該取付部７１が周縁部６３の所定の位置（取付孔６２の中心が取付部７１の中心と合致する位置）に位置決めされるとともに、取付部７１の鍔部７３がネジ部材により固定される。すなわち、取付部７１は、爪部７４を貫通孔６３ｃに嵌合することで仮止めされ、ネジ部材により突面部６３ｂが有するネジ孔６３ｄに固定される。
【００４７】
天板部６４は、外径輪郭形状が長方形状の板状部分である。側壁部６５は、天板部６４の外周縁から下方に延設される角筒状の部分である。電源カバー取付部６６は、側壁部６５の下端であって、電源カバー６１の長手方向において対向する第１側壁部６５ａの下端から外側に延出された一対の帯板状の部分である。電源カバー取付部６６は、電源カバー６１を器具本体２１の収容部２６に取り付けた際に、収容部２６の底面となる底板部２４に当接する部分である。電源カバー取付部６６には、複数のネジ孔が設けられており、ネジ部材により収容部２６の底板部２４に電源カバー取付部６６が取り付けられる。
【００４８】
側壁部６５における一対の第１側壁部６５ａのうち、取付孔６２から離間している一方の第１側壁部６５ａには、チャンネル切替スイッチ８３の先端部を挿通して外部に突出するための挿通孔６５ｂが形成されている。チャンネル切替スイッチ８３を挿通孔６５ｂに挿通してチャンネル切替スイッチ８３の先端部を第１側壁部６５ａの表面から突出させることで、第１側壁部６５ａの表面に使用者がチャンネル切替スイッチ８３の操作が可能となるチャンネル切替スイッチ８３の操作部が形成される。
【００４９】
電源カバー６１は、内部に取付部７１を有した状態で、電源カバー取付部６６が器具本体２１の収容部２６（底板部２４）に当接されて取り付けられる。電源カバー６１は、収容部２６内において一方側に偏った位置（偏在した位置）に設けられている。電源カバー６１が収容部２６の取付面側に取り付けられることで、取付部７１の一部が器具本体２１の開口部２２から露出するように配置されるとともに、電源カバー６１と収容部２６（底板部２４）により所定の空間が形成され、該空間に電源部３１及び取付部７１を収容するための高さ及び幅が確保される。電源カバー６１内においては、電源部３１が取付部７１と隣り合うように配置される。
【００５０】
取付部７１は、引掛シーリングアダプタ等の配線部品１１０を取り付ける部分である。取付部７１は、器具本体２１が有する開口部２２より大径の円筒部７２と、該円筒部７２の一端側（上端側）の外周縁に径方向外側に延出される鍔部７３を有している。該鍔部７３の周方向の所定位置には、取付部７１の一端（上端）をネジなどの固定部材により電源カバー６１に取り付けるためのネジ孔が設けられている。鍔部７３の取付面側には、電源カバー６１が有する貫通孔６３ｃに嵌合する複数（本実施形態では、３つ）の爪部７４が上方に突出して設けられている。爪部７４は、電源カバー６１が有する貫通孔６３ｃに嵌合可能である。また、取付部７１は、爪部７４を貫通孔６３ｃに嵌合するとともに、ネジ部材により電源カバー６１が有する突面部６３ｂに取り付けられる。円筒部７２の他端側（下端側）の外周縁には、ネジなどの固定部材により取付部７１の他端側（下側）を器具本体２１や保護カバー９１と締結するためのネジ孔が設けられている。取付部７１の他端は、内周縁部２３の取付面側に当接した状態で、ネジ部材により器具本体２１や保護カバー９１と締結される。なお、本実施形態では、ネジ部材により取付部７１の他端（下端側）は、器具本体２１と保護カバー９１の両方と締結されて固定されている。しかしながら、取付部７１は必ずしも器具本体２１や保護カバー９１と結合して固定する必要はない。また、取付部７１を器具本体２１と保護カバー９１の一方側とだけ結合してもよい。また、ネジ部材による締結ではなく嵌合などの固定方法を用いてもよい。
【００５１】
照明器具１１を天井に取り付ける場合は、照明器具用の天井配線器具（引掛シーリングボディ）に引掛シーリングアダプタ等の配線部品１１０を取付け、電源カバー６１が有する取付孔６２に配線部品１１０を差し込むとともに、該配線部品１１０を取付部７１内に嵌合する。
【００５２】
受信部８１は、上述した電源部３１の電源基板３３上に配置されている。受信部８１は、リモコン（図示せず）からの無線信号（本実施形態では赤外線による信号）を受信する部分である。受信部８１は、受光部である受光素子８２と、チャンネル切替スイッチ８３を有している。受光素子８２は、電源部３１の電源基板３３の長手方向中央部であって、該電源基板３３の一側の長辺端部近傍に実装されている。受光素子８２は、光源部４１のＬＥＤ素子４２と同じ向き（受光素子８２の受光面とＬＥＤ素子４２の発光面が同じ向きになる）になるように実装されている。受光素子８２は、電源基板３３上において取付部７１に近接する側（本実施形態では、電源基板３３の一側の長辺端部側）に配置されている。受光素子８２は、器具本体２１の中央側であって、器具本体２１の開口部２２の近傍に配置されている。チャンネル切替スイッチ８３は、電源部３１の電源基板３３の長手方向中央部であって、該電源基板３３の他側の長辺端部近傍に実装されている。受信部８１は、平面視において開口部２２の近傍に配置される。受光素子８２は、平面視において器具本体２１が有する受光窓２４ｃから露出するように配置される。受信部８１は、電源基板３３に電気的に接続される。受光素子８２は、使用者によって操作されるリモコンから送信される無線信号を伝送媒体としたリモコン信号を受信することができる。リモコンにより受光素子８２に所定の信号を送信することで使用者はＬＥＤ光源モジュール４４（ＬＥＤ素子４２）の点灯、消灯、調光等を遠隔操作できる。
また、本実施形態ではリモコン信号を受信する受信部８１を設けたが、これに限らず、その他のセンサ制御方法を採用してもよい。また、無線信号による制御ではなく、有線での制御でもよく、その場合には受信部を設けなくてもよい。
【００５３】
保護カバー９１は、器具本体２１と透光性カバー５１との間において、光源部４１を覆う部材である。保護カバー９１は、光源部４１と透光性カバー５１との間に配置される。保護カバー９１は、透光性を有しており、例えば透光性を有する樹脂素材で形成されている。保護カバー９１は、平面視において略円環状の部材であって、図１０に示すように、主に内周縁部９２、光源カバー部９３、外周鍔部９４、及び爪部９５を有している。
【００５４】
内周縁部９２は、保護カバー９１の中央に配置される略円環状の部分である。内周縁部９２には、ネジ部材により取付部７１と器具本体２１と保護カバー９１を締結して固定するためのネジ固定部９６が設けられている。このとき、保護カバー９１の内周縁部９２は、器具本体２１の底板部２４の内周縁部２３の照射面側に当接もしくはほとんど隙間を有しない状態で近接する。
【００５５】
光源カバー部９３は、平面視円環状であり、照射面側に凸状である。具体的には、光源カバー部９３は、内周縁部９２の径方向外側に連続して形成され、光源部４１に対して所定の隙間を有するように照射面側に向かって膨らむ形状の凸状の部分である。光源カバー部９３は、径方向外側に向けて延設される外側カバー部９３ａを有している。外側カバー部９３ａは、底板部２４から突出したスペーサ４０の一部を覆う部分である。光源カバー部９３の外周近傍と、光源カバー部９３の内周近傍とは、保護カバー９１を電源カバー６１に取り付けた際に、ＬＥＤ光源モジュール４４の基板４３の外周端部及び内周端部に当接する。すなわち、ＬＥＤ光源モジュール４４の基板４３の外周端部及び内周端部は、器具本体２１の光源取付部２４ａと光源カバー部９３とにより挟まれて固定される。つまり、各ＬＥＤ光源モジュール４４は、保護カバー９１を電源カバー６１に取り付けることでネジやビス等の固定部材（取付部材）を用いずに器具本体２１上に固定される。
なお、各ＬＥＤ光源モジュール４４は、基板４３（４３ａ、４３ｂ）の中央部にネジ孔等のネジ固定部４７を有している。光源取付部２４ａとの密着性を高めるために、ネジ部材によりネジ固定部４７（図７参照）を光源取付部２４ａに取り付けることもできる。
【００５６】
外周鍔部９４は、光源カバー部９３の周囲に連続して形成される平坦な部分である。外周鍔部９４には、器具本体２１に設けられた貫通孔２４ｄに嵌合するための複数（本実施形態では、８つ）の鉤状の爪部９５が形成されている。爪部９５は、貫通孔２４ｄの端部を挟持することができる。保護カバー９１は、器具本体２１の底板部２４の照射面側と内周縁部２３をほぼ覆うことができる。
【００５７】
保護カバー９１は、該保護カバー９１の外周縁部に設けられた爪部９５と、器具本体２１に設けられた貫通孔２４ｄとを嵌合することで固定され、かつ保護カバー９１の内周縁部９２が複数のネジ部材により器具本体２１に取り付けられる。このように、保護カバー９１において外周縁側を爪部９５と貫通孔２４ｄにより嵌合固定し、内周縁側をネジ部材により固定するため、照明器具１１の組立作業の際に、ネジ部材による固定箇所が器具本体２１の中央付近に集まっており、器具本体２１を回転等の位置の変更をしなくても固定作業が可能となり作業性が良い。
【００５８】
以上説明した本実施形態に係る照明器具１１では、取付面側に凹部（収容部２６の取付面側の部分）が形成されるとともに該取付面側の反対側となる照射面側に凸部（収容部２６の照射面側の部分）が形成された器具本体２１と、器具本体２１の凸部に配置される光源部４１と、器具本体２１の凹部内に取り付けられる電源部３１とを有している。ここで、本実施形態に係る照明器具１１の組立手順の一部について例示する。まず、器具本体２１の照射面側に光源部４１を配置する。次に、光源部４１に接続された接続配線を挿通孔２４ｂを介して器具本体２１の取付面側の凹部内に引き出す。凹部内に引き出された接続配線と電源部３１とを接続させ、電源部３１をスペーサ４０を介して器具本体２１の取付面側に取り付ける。このように、照明器具１１では、器具本体２１側に電源部３１が取り付けられるため、電源カバー６１側に電源部３１を取り付ける場合よりも光源部４１と配線等の接続がしやすく、組立性が良い。したがって、照明器具１１のように構成することで、照明器具の組立作業の簡素化を可能とする。
【００５９】
また、電源部３１に不良が生じた場合に、電源カバー６１を取り外せば電源部３１の電源基板３３が露出するため、部品の交換や修理が容易となる。電源カバー６１に電源部３１を取り付けていないため、電源カバー６１が外部より衝撃を受けた場合でも、電源部３１に影響を与えにくい。
【００６０】
また、照明器具１１では、電源基板３３が電源取付部材であるスペーサ４０により、器具本体２１と離間距離を有するように取り付けられる。このように、器具本体２１から離間距離を設けて電源部３１の電源基板３３を取り付けるため、電源部３１と光源部４１との間の相互の熱伝達を抑えることでき、電源部３１と光源部４１への熱的影響を低減することができる。
【００６１】
また、照明器具１１では、電源カバー６１が器具本体２１を取付面に取り付ける取付部７１を有している。このように構成することで、電源カバー６１側に予め取付部７１を取り付けることができ、組立性が良い。
【００６２】
また、照明器具１１では、電源部３１が電源回路部品とリモコン信号を受信する受光素子８２が同一の電源基板３３に実装されて形成され、受光素子８２が光源部４１のＬＥＤ素子４２と同じ向きになる（受光素子８２の受光面とＬＥＤ素子４２の発光面が同じ向きになる）ように実装されている。こうして、受光素子８２を別基板に実装しないため、部品点数を低減できるとともに、照射面側からのリモコンからの無線信号を受信することができる。
【００６３】
また、照明器具１１では、電源部３１において、電源回路部品と受光素子８２が電源基板３３の一方の表面（本実施形態では、下面）に実装されている。このように構成することで、電源基板３３の一方の表面に電子部品を集約して実装するため、電源部３１の厚み寸法を増大化させない。ひいては、照明器具１１の厚み寸法を抑えることができる。
【００６４】
また、照明器具１１では、受光素子８２が電源基板３３上において取付部７１に近接する側（本実施形態では、電源基板３３の一側の長辺端部側）に配置されている。これにより、使用者は感覚的に照明器具１１（器具本体２１）の中央部（取付部７１がある部分）に向けてリモコン操作した場合でも、リモコン信号が受信し易い。
【００６５】
また、照明器具１１では、チャンネル切替スイッチ８３が電源回路部品と同一の基板に実装されている。このように構成することで、チャンネル切替スイッチ８３を別基板に実装しないため、部品点数を低減できる。
【００６６】
また、照明器具１１では、電源カバー６１は、有底角筒状に形成され、電源カバー６１の表面にチャンネル切替スイッチ８３を操作するためのチャンネル切替スイッチ操作部を有している。これにより、照明器具１１を取り付ける際に、目視しながらチャンネル設定が可能となる。
【００６７】
また、照明器具１１では、コネクタ４５が平面視において電源部３１と重なる位置に配置されている。このように構成することで、電源部３１とコネクタ４５が近接するため、電源部３１とコネクタ４５とを接続するための配線距離を短くすることができる。
【００６８】
また、照明器具１１では、光源部４１において少なくとも１つの基板４３に補助光源用ＬＥＤ素子４２ａが実装され、補助光源用ＬＥＤ素子４２ａは平面視においてコネクタ４５から離れた位置に配置されている。補助光源用ＬＥＤ素子４２ａは、通常、主光源のＬＥＤ素子４２よりも少数（例えば、１〜２つ）である。そのため、ＬＥＤ光源モジュール４４上に配置されるコネクタ４５などによって影が生じる場合に、少数のＬＥＤ素子４２ａが点灯する補助光源は、多数のＬＥＤ素子４２が点灯する主光源よりもその光り方への影響が強く現れてしまう。したがって、このように構成することで、補助光源用ＬＥＤ素子４２のみ点灯させても、コネクタ４５による影が生じにくい。また、コネクタ４５や主光源のＬＥＤ素子４２などの部品の密集度が高い領域を避けて配置することにより、放熱効果を高めることができ、補助光源用ＬＥＤ素子４２ａの熱による劣化を抑えて、補助光源用ＬＥＤ素子４２ａの寿命を延ばすことができる。また、補助光源用ＬＥＤ素子４２ａとコネクタ４５と近接させずに、補助光源用ＬＥＤ素子４２ａをコネクタ４５から離れた位置に配置することによって、ＬＥＤ光源モジュール４４のコネクタ４５に接続端子を接続する際に補助光源用ＬＥＤ素子４２ａへの応力を低減させることができる。
【００６９】
また、照明器具１１では、補助光源用ＬＥＤ素子４２ａが基板４３ａの中央領域に実装されている。これにより、基板４３ａの中央領域は配線パターンを広く取りやすく、放熱性能を高めることができる。照明器具１１では、基板４３ａの中央領域に上述したネジ固定部４７を有しており、ネジ部材でネジ固定部４７を光源取付部２４ａに取り付けることで、基板４３ａの中央領域において光源取付部２４ａに対する基板４３ａの密着性が高くなる。この際に、補助光源用ＬＥＤ素子４２ａをネジ固定部４７により近接するように配置することで、さらに放熱性能を高めることができる。
【００７０】
また、照明器具１１では、補助光源用ＬＥＤ素子４２ａが平面視において電源部３１と重ならない位置に実装されている。このように構成することで、補助光源用ＬＥＤ素子４２ａと電源部３１から発生する熱に対し、互いに熱的影響をより低減することができる。
【００７１】
また、照明器具１１では、電源カバー６１が平面視において器具本体２１の凹部である収容部２６の一部を覆うように取り付けられ、補助光源用ＬＥＤ素子４２ａが平面視において電源カバー６１と重ならない位置に実装されている。このように、補助光源用ＬＥＤ素子４２ａを電源カバー６１と重ならない位置に配置することで、補助光源用ＬＥＤ素子４２ａによる電源カバー６１への熱的影響を抑え、電源カバー６１内に熱が籠もらずに、より放熱性能を高める。
【００７２】
また、照明器具１１では、基板４３ａが略半円環状で、内周側の周方向一端を略Ｌ字状に切り欠いた切欠き部４３ａ１を有している。これにより、基板素材（元基板）をカットして複数の基板を作製する際に、図８に示すように、Ｌ字状の切欠き部４３ａ１と基板４３ｂの外周縁の端部が組み合うように配置して切り出すことができるため、単に半円環状の基板を基板素材から切り取るよりも材料のロスが少ない。また、Ｌ字状の切欠き部分に受光窓２４ｃ等を配置することができる。
【００７３】
また、照明器具１１では、径方向外側のＬＥＤ素子４２よりも径方向内側のＬＥＤ素子４２を隣り合う間隔が短くなるように密に配置している。これにより、照明器具１１の中央部も明るく、照明器具１１の発光ムラを抑えることができる。
【００７４】
以上、本発明の実施形態について説明したが、本発明は上記実施例に限定されるものではなく、様々な変更が可能である。例えば、照明器具１１は丸型としたが、角型やその他の形状としてもよい。また、シーリングライトの他、ペンダントライト等に適用してもよい。
【００７５】
本実施形態の器具本体２１の形状は一例であり、本実施形態の形状に限定されるものではない。例えば、照明器具１１の形状が丸型以外の角型やその他の形状である場合には、それに応じた形状とすることができる。また、器具本体２１及び電源カバー６１の形状は、電源部３１や光源部４１の形状に応じて適宜変形させることも可能である。
【符号の説明】
【００７６】
１１  照明器具
２１  器具本体
２４  底板部
２５  周壁部
２６  収容部
３１  電源部
４０  スペーサ（電源取付部材）
４１  光源部
４２  ＬＥＤ素子（発光素子）
４３  基板
４４  ＬＥＤ光源モジュール
５１  透光性カバー
６１  電源カバー
【図１】
2018006148.tif 000003
【図２】
2018006148.tif 000004
【図３】
2018006148.tif 000005
【図４】
2018006148.tif 000006
【図５】
2018006148.tif 000007
【図６】
2018006148.tif 000008
【図７】
2018006148.tif 000009
【図８】
2018006148.tif 000010
【図９】
2018006148.tif 000011
【図１０】
2018006148.tif 000012
【図１１】
2018006148.tif 000013